(57)【要約】【課題】  複雑な処理が不要で、且つ、的確にリロケーションの可否を決定することを可能とする。【解決手段】  移動端末の移動先のセルがそのセルである場合にはリロケーションが禁止されるリロケーション禁止セルに関連した情報を格納する第１データベース８０４と、前記移動端末の移動先のセルをその配下に置く隣接基地局制御装置のリロケーションの許可／禁止に関連した情報を格納する第２データベース８０２と、前記移動端末からリロケーションの要求を受信した場合、前記移動端末が現在存在するセル、前記第１データベース及び前記第２データベースを参照して、リロケーションを許可するか否かを判断する判断手段８０５、８０６とを備える。【選択図】        図９
2006270571.tif 000002
【特許請求の範囲】
【請求項１】
移動端末の移動先のセルがそのセルである場合にはリロケーションが禁止されるリロケーション禁止セルに関連した情報を格納する第１データベースを用意する第１データベース用意ステップと、
前記移動端末の移動先のセルをその配下に置く隣接基地局制御装置のリロケーションの許可／禁止に関連した情報を格納する第２データベースを用意する第２データベース用意ステップと、
前記移動端末からリロケーションの要求を受信した場合、前記移動端末が現在存在するセル、前記第１データベース及び前記第２データベースを参照して、リロケーションを許可するか否かを判断する判断ステップと、
を備えることを特徴とするリロケーション制御方法。
【請求項２】
請求項１に記載のリロケーション制御方法において、
前記判断ステップは、
前記第２データベースを参照して、前記移動端末の移動先のセルをその配下に置く隣接基地局制御装置がリロケーションを許可する隣接基地局制御装置であるか否かを判断する第１判断サブステップと、
前記第１判断サブステップの判断結果が肯定的である場合に、前記第１データベースを参照して、前記移動端末の移動先のセルがリロケーション禁止セルであるか否かを判断する第２判断サブステップと、
前記第２判断サブステップの判断結果が肯定的である場合に、リロケーションを禁止するステップと、
を備えることを特徴とするリロケーション制御方法。
【請求項３】
請求項２に記載のリロケーション制御方法において、
前記判断ステップは、前記第１判断サブステップの判断結果が否定的である場合に、リロケーションを禁止するステップを更に備えることを特徴とするリロケーション制御方法。
【請求項４】
請求項２に記載のリロケーション制御方法において、
前記判断ステップは、前記第２判断サブステップの判断結果が否定的である場合に、リロケーションを許可するステップを更に備えることを特徴とするリロケーション制御方法。
【請求項５】
請求項１に記載のリロケーション制御方法において、
前記第１データベース用意ステップでは、前記第１のデータベースとして、リロケーション禁止セルが登録されたデータベースを用意し、
前記第２データベース用意ステップでは、前記第２のデータベースとして、リロケーションを許可する隣接基地局制御装置とリロケーションを禁止する隣接基地局制御装置が登録されたデータベースを用意し、
前記判断ステップは、
前記第２データベースを参照して、前記移動端末の移動先のセルをその配下に置く隣接基地局制御装置がリロケーションを許可する隣接基地局制御装置であるか否かを判断する第１判断サブステップと、
前記第１判断サブステップの判断結果が肯定的である場合に、前記第１データベースを参照して、前記移動端末の移動先のセルがリロケーション禁止セルであるか否かを判断する第２判断サブステップと、
前記第２判断サブステップの判断結果が肯定的である場合に、リロケーションを禁止するステップと、
を備えることを特徴とするリロケーション制御方法。
【請求項６】
請求項５に記載のリロケーション制御方法において、
前記判断ステップは、前記第１判断サブステップの判断結果が否定的である場合に、リロケーションを禁止するステップを更に備えることを特徴とするリロケーション制御方法。
【請求項７】
請求項５に記載のリロケーション制御方法において、
前記判断ステップは、前記第２判断サブステップの判断結果が否定的である場合に、リロケーションを許可するステップを更に備えることを特徴とするリロケーション制御方法。
【請求項８】
請求項１に記載のリロケーション制御方法において、
前記第１データベース用意ステップでは、前記第１のデータベースとして、リロケーション禁止セルに隣接するセルが登録されたデータベースを用意し、
前記第２データベース用意ステップでは、前記第２のデータベースとして、リロケーションを許可する隣接基地局制御装置とリロケーションを禁止する隣接基地局制御装置が登録されたデータベースを用意し、
前記判断ステップは、
前記第２データベースを参照して、前記移動端末の移動先のセルをその配下に置く隣接基地局制御装置がリロケーションを許可する隣接基地局制御装置であるか否かを判断する第１判断サブステップと、
前記第１判断サブステップの判断結果が肯定的である場合に、前記第１データベースを参照して、前記移動端末の移動先のセルがリロケーション禁止セルであるか否かを判断する第２判断サブステップと、
前記第２判断サブステップの判断結果が肯定的である場合に、リロケーションを禁止するステップと、
を備えることを特徴とするリロケーション制御方法。
【請求項９】
請求項８に記載のリロケーション制御方法において、
前記判断ステップは、前記第１判断サブステップの判断結果が否定的である場合に、リロケーションを禁止するステップを更に備えることを特徴とするリロケーション制御方法。
【請求項１０】
請求項８に記載のリロケーション制御方法において、
前記判断ステップは、前記第２判断サブステップの判断結果が否定的である場合に、リロケーションを許可するステップを更に備えることを特徴とするリロケーション制御方法。
【請求項１１】
請求項１に記載のリロケーション制御方法において、
前記第１データベース用意ステップでは、前記第１のデータベースとして、リロケーション禁止セルが登録されたデータベースを用意し、
前記第２データベース用意ステップでは、前記第２のデータベースとして、リロケーションを禁止する隣接基地局制御装置が登録されたデータベースを用意し、
前記判断ステップは、
前記第２データベースを参照して、前記移動端末の移動先のセルをその配下に置く隣接基地局制御装置がリロケーションを許可する隣接基地局制御装置であるか否かを判断する第１判断サブステップと、
前記第１判断サブステップの判断結果が肯定的である場合に、前記第１データベースを参照して、前記移動端末の移動先のセルがリロケーション禁止セルであるか否かを判断する第２判断サブステップと、
前記第２判断サブステップの判断結果が肯定的である場合に、リロケーションを禁止するステップと、
を備えることを特徴とするリロケーション制御方法。
【請求項１２】
請求項１１に記載のリロケーション制御方法において、
前記判断ステップは、前記第１判断サブステップの判断結果が否定的である場合に、リロケーションを禁止するステップを更に備えることを特徴とするリロケーション制御方法。
【請求項１３】
請求項１１に記載のリロケーション制御方法において、
前記判断ステップは、前記第２判断サブステップの判断結果が否定的である場合に、リロケーションを許可するステップを更に備えることを特徴とするリロケーション制御方法。
【請求項１４】
請求項１に記載のリロケーション制御方法において、
前記第１データベース用意ステップでは、前記第１のデータベースとして、リロケーション禁止セルが登録されたデータベースを用意し、
前記第２データベース用意ステップでは、前記第２のデータベースとして、リロケーションを許可する隣接基地局制御装置が登録されたデータベースを用意し、
前記判断ステップは、
前記第２データベースを参照して、前記移動端末の移動先のセルをその配下に置く隣接基地局制御装置がリロケーションを許可する隣接基地局制御装置であるか否かを判断する第１判断サブステップと、
前記第１判断サブステップの判断結果が肯定的である場合に、前記第１データベースを参照して、前記移動端末の移動先のセルがリロケーション禁止セルであるか否かを判断する第２判断サブステップと、
前記第２判断サブステップの判断結果が肯定的である場合に、リロケーションを禁止するステップと、
を備えることを特徴とするリロケーション制御方法。
【請求項１５】
請求項１４に記載のリロケーション制御方法において、
前記判断ステップは、前記第１判断サブステップの判断結果が否定的である場合に、リロケーションを禁止するステップを更に備えることを特徴とするリロケーション制御方法。
【請求項１６】
請求項１４に記載のリロケーション制御方法において、
前記判断ステップは、前記第２判断サブステップの判断結果が否定的である場合に、リロケーションを許可するステップを更に備えることを特徴とするリロケーション制御方法。
【請求項１７】
移動端末の移動先のセルがそのセルである場合にはリロケーションが禁止されるリロケーション禁止セルに関連した情報を格納する第１データベースと、
前記移動端末の移動先のセルをその配下に置く隣接基地局制御装置のリロケーションの許可／禁止に関連した情報を格納する第２データベースと、
前記移動端末からリロケーションの要求を受信した場合、前記移動端末が現在存在するセル、前記第１データベース及び前記第２データベースを参照して、リロケーションを許可するか否かを判断する判断手段と、
を備えることを特徴とするリロケーション制御装置。
【請求項１８】
請求項１７に記載のリロケーション制御装置において、
前記判断手段は、
前記第２データベースを参照して、前記移動端末の移動先のセルをその配下に置く隣接基地局制御装置がリロケーションを許可する隣接基地局制御装置であるか否かを判断する第１判断サブ手段と、
前記第１判断サブ手段の判断結果が肯定的である場合に、前記第１データベースを参照して、前記移動端末の移動先のセルがリロケーション禁止セルであるか否かを判断する第２判断サブ手段と、
前記第２判断サブ手段の判断結果が肯定的である場合に、リロケーションを禁止する手段と、
を備えることを特徴とするリロケーション制御装置。
【請求項１９】
請求項１８に記載のリロケーション制御装置において、
前記判断手段は、前記第１判断サブ手段の判断結果が否定的である場合に、リロケーションを禁止する手段を更に備えることを特徴とするリロケーション制御装置。
【請求項２０】
請求項１８に記載のリロケーション制御装置において、
前記判断手段は、前記第２判断サブ手段の判断結果が否定的である場合に、リロケーションを許可する手段を更に備えることを特徴とするリロケーション制御装置。
【請求項２１】
請求項１７に記載のリロケーション制御装置において、
前記第１のデータベースは、リロケーション禁止セルが登録されたデータベースであり
前記第２のデータベースは、リロケーションを許可する隣接基地局制御装置とリロケーションを禁止する隣接基地局制御装置が登録されたデータベースであり、
前記判断手段は、
前記第２データベースを参照して、前記移動端末の移動先のセルをその配下に置く隣接基地局制御装置がリロケーションを許可する隣接基地局制御装置であるか否かを判断する第１判断サブ手段と、
前記第１判断サブ手段の判断結果が肯定的である場合に、前記第１データベースを参照して、前記移動端末の移動先のセルがリロケーション禁止セルであるか否かを判断する第２判断サブ手段と、
前記第２判断サブ手段の判断結果が肯定的である場合に、リロケーションを禁止する手段と、
を備えることを特徴とするリロケーション制御装置。
【請求項２２】
請求項２１に記載のリロケーション制御装置において、
前記判断手段は、前記第１判断サブ手段の判断結果が否定的である場合に、リロケーションを禁止する手段を更に備えることを特徴とするリロケーション制御装置。
【請求項２３】
請求項２１に記載のリロケーション制御装置において、
前記判断手段は、前記第２判断サブ手段の判断結果が否定的である場合に、リロケーションを許可する手段を更に備えることを特徴とするリロケーション制御装置。
【請求項２４】
請求項１７に記載のリロケーション制御装置において、
前記第１のデータベースは、リロケーション禁止セルに隣接するセルが登録されたデータベースであり、
前記第２のデータベースは、リロケーションを許可する隣接基地局制御装置とリロケーションを禁止する隣接基地局制御装置が登録されたデータベースであり、
前記判断手段は、
前記第２データベースを参照して、前記移動端末の移動先のセルをその配下に置く隣接基地局制御装置がリロケーションを許可する隣接基地局制御装置であるか否かを判断する第１判断サブ手段と、
前記第１判断サブ手段の判断結果が肯定的である場合に、前記第１データベースを参照して、前記移動端末の移動先のセルがリロケーション禁止セルであるか否かを判断する第２判断サブ手段と、
前記第２判断サブ手段の判断結果が肯定的である場合に、リロケーションを禁止する手段と、
を備えることを特徴とするリロケーション制御装置。
【請求項２５】
請求項２４に記載のリロケーション制御装置において、
前記判断手段は、前記第１判断サブ手段の判断結果が否定的である場合に、リロケーションを禁止する手段を更に備えることを特徴とするリロケーション制御装置。
【請求項２６】
請求項２４に記載のリロケーション制御装置において、
前記判断手段は、前記第２判断サブ手段の判断結果が否定的である場合に、リロケーションを許可する手段を更に備えることを特徴とするリロケーション制御装置。
【請求項２７】
請求項１７に記載のリロケーション制御装置において、
前記第１のデータベースは、リロケーション禁止セルが登録されたデータベースであり、
前記第２のデータベースは、リロケーションを禁止する隣接基地局制御装置が登録されたデータベースであり、
前記判断手段は、
前記第２データベースを参照して、前記移動端末の移動先のセルをその配下に置く隣接基地局制御装置がリロケーションを許可する隣接基地局制御装置であるか否かを判断する第１判断サブ手段と、
前記第１判断サブ手段の判断結果が肯定的である場合に、前記第１データベースを参照して、前記移動端末の移動先のセルがリロケーション禁止セルであるか否かを判断する第２判断サブ手段と、
前記第２判断サブ手段の判断結果が肯定的である場合に、リロケーションを禁止する手段と、
を備えることを特徴とするリロケーション制御装置。
【請求項２８】
請求項２７に記載のリロケーション制御装置において、
前記判断手段は、前記第１判断サブ手段の判断結果が否定的である場合に、リロケーションを禁止する手段を更に備えることを特徴とするリロケーション制御装置。
【請求項２９】
請求項２７に記載のリロケーション制御装置において、
前記判断手段は、前記第２判断サブ手段の判断結果が否定的である場合に、リロケーションを許可する手段を更に備えることを特徴とするリロケーション制御装置。
【請求項３０】
請求項１７に記載のリロケーション制御装置において、
前記第１のデータベースは、リロケーション禁止セルが登録されたデータベースであり、
前記第２のデータベースは、リロケーションを許可する隣接基地局制御装置が登録されたデータベースであり、
前記判断手段は、
前記第２データベースを参照して、前記移動端末の移動先のセルをその配下に置く隣接基地局制御装置がリロケーションを許可する隣接基地局制御装置であるか否かを判断する第１判断サブ手段と、
前記第１判断サブ手段の判断結果が肯定的である場合に、前記第１データベースを参照して、前記移動端末の移動先のセルがリロケーション禁止セルであるか否かを判断する第２判断サブ手段と、
前記第２判断サブ手段の判断結果が肯定的である場合に、リロケーションを禁止する手段と、
を備えることを特徴とするリロケーション制御装置。
【請求項３１】
請求項３０に記載のリロケーション制御装置において、
前記判断手段は、前記第１判断サブ手段の判断結果が否定的である場合に、リロケーションを禁止する手段を更に備えることを特徴とするリロケーション制御装置。
【請求項３２】
請求項３０に記載のリロケーション制御装置において、
前記判断手段は、前記第２判断サブ手段の判断結果が否定的である場合に、リロケーションを許可する手段を更に備えることを特徴とするリロケーション制御装置。
【請求項３３】
コンピュータを請求項１７乃至３２の何れか１項に記載のリロケーション制御装置として機能させるためのプログラム。
【請求項３４】
請求項３３に記載のプログラムを記録した、コンピュータ読取り可能な記録媒体。
【発明の詳細な説明】
【技術分野】
【０００１】
本発明は、移動端末がある基地局制御装置の配下から他の基地局制御装置の配下に移動した場合に行われるリロケーションを制御するためのリロケーション制御方法及びその装置に関する。
【背景技術】
【０００２】
従来は図１に示すとおり、端末が異なる基地局制御装置配下に移動してしまった場合、基地局制御装置間に通信路を設ける必要があり、往来の多い基地局制御装置間では帯域の太い回線を用意する必要があった。リロケーション処理を提供することで、通信路の効率化を図ることは可能になった。
【特許文献１】特開２００２−３５９８７１号公報
【発明の開示】
【発明が解決しようとする課題】
【０００３】
しかし、従来のリロケーション処理の起動方法では次のような課題があった。
【０００４】
リロケーション処理は、冗長になっている通信路をより効率のよい経路に切り替えることができる一方、基地局制御装置、基地局制御装置、端末、交換機全てが関係する複雑な処理であるため、頻繁に実行するのは望ましくない。端末が異なる基地局制御装置配下のセルにハンドオーバーしたらすぐにリロケーション処理を起動する、という整理にすると、基地局制御装置がカバーするエリアの境界付近を行き来している端末がいた場合、リロケーション処理が頻発してしまう。
【０００５】
そこで、リロケーション処理の頻発を防ぎつつ、冗長になっている通信路を適時効率の良い経路に切り替えるためには、基地局制御装置が端末を制御している場合、端末が基地局制御装置のセルがカバーするエリアの境界から一定距離離れた場合に初めてリロケーション処理を起動するのが望ましい。
【０００６】
しかし、ある基地局制御装置が制御する全端末の所在地の座標情報をリアルタイムで把握するのは技術的に非常に難しい。このため、ある基地局制御装置のセルがカバーするエリアの境界と、端末の所在地との間の距離を、基地局制御装置がリアルタイムで把握するのも非常に難しい。
【０００７】
また、リロケーションは通信経路を効率のよい経路に切り替えるのが主な目的であるが、基地局制御装置間に非常に太い帯域の回線が用意されているような場合には、通信路の効率化を行うよりも、複雑なリロケーション処理の発生を防ぎたいことも考えられる。しかし、基地局制御装置のセルがカバーするエリアの境界から一定距離離れた場合に一律リロケーション処理を起動してしまうと、起動する必要がないリロケーション処理を起動してしまうケースも発生してしまう。
【０００８】
特許文献１には、タイマーを利用してリロケーションが頻発することを防止する発明が記載されている。
【０００９】
本発明は、複雑な処理が不要で、且つ、的確にリロケーションの可否を決定することを可能とするリロケーション制御方法及びその装置を提供することを目的とする。
【課題を解決するための手段】
【００１０】
本発明によれば、移動端末の移動先のセルがそのセルである場合にはリロケーションが禁止されるリロケーション禁止セルに関連した情報を格納する第１データベースを用意する第１データベース用意ステップと、前記移動端末の移動先のセルをその配下に置く隣接基地局制御装置のリロケーションの許可／禁止に関連した情報を格納する第２データベースを用意する第２データベース用意ステップと、前記移動端末からリロケーションの要求を受信した場合、前記移動端末が現在存在するセル、前記第１データベース及び前記第２データベースを参照して、リロケーションを許可するか否かを判断する判断ステップと、備えることを特徴とするリロケーション制御方法が提供される。
【００１１】
上記のリロケーション制御方法において、前記判断ステップは、前記第２データベースを参照して、前記移動端末の移動先のセルをその配下に置く隣接基地局制御装置がリロケーションを許可する隣接基地局制御装置であるか否かを判断する第１判断サブステップと、前記第１判断サブステップの判断結果が肯定的である場合に、前記第１データベースを参照して、前記移動端末の移動先のセルがリロケーション禁止セルであるか否かを判断する第２判断サブステップと、前記第２判断サブステップの判断結果が肯定的である場合に、リロケーションを禁止するステップと、を備えるようにしてもよい。
【００１２】
上記のリロケーション制御方法において、前記判断ステップは、前記第１判断サブステップの判断結果が否定的である場合に、リロケーションを禁止するステップを更に備えるようにしてもよい。
【００１３】
上記のリロケーション制御方法において、前記判断ステップは、前記第２判断サブステップの判断結果が否定的である場合に、リロケーションを許可するステップを更に備えるようにしてもよい。
【００１４】
上記のリロケーション制御方法において、前記第１データベース用意ステップでは、前記第１のデータベースとして、リロケーション禁止セルが登録されたデータベースを用意し、前記第２データベース用意ステップでは、前記第２のデータベースとして、リロケーションを許可する隣接基地局制御装置とリロケーションを禁止する隣接基地局制御装置が登録されたデータベースを用意し、前記判断ステップは、前記第２データベースを参照して、前記移動端末の移動先のセルをその配下に置く隣接基地局制御装置がリロケーションを許可する隣接基地局制御装置であるか否かを判断する第１判断サブステップと、前記第１判断サブステップの判断結果が肯定的である場合に、前記第１データベースを参照して、前記移動端末の移動先のセルがリロケーション禁止セルであるか否かを判断する第２判断サブステップと、前記第２判断サブステップの判断結果が肯定的である場合に、リロケーションを禁止するステップと、を備えるようにしてもよい。
【００１５】
上記のリロケーション制御方法において、前記判断ステップは、前記第１判断サブステップの判断結果が否定的である場合に、リロケーションを禁止するステップを更に備えるようにしてもよい。
【００１６】
上記のリロケーション制御方法において、前記判断ステップは、前記第２判断サブステップの判断結果が否定的である場合に、リロケーションを許可するステップを更に備えるようにしてもよい。
【００１７】
上記のリロケーション制御方法において、前記第１データベース用意ステップでは、前記第１のデータベースとして、リロケーション禁止セルに隣接するセルが登録されたデータベースを用意し、前記第２データベース用意ステップでは、前記第２のデータベースとして、リロケーションを許可する隣接基地局制御装置とリロケーションを禁止する隣接基地局制御装置が登録されたデータベースを用意し、前記判断ステップは、前記第２データベースを参照して、前記移動端末の移動先のセルをその配下に置く隣接基地局制御装置がリロケーションを許可する隣接基地局制御装置であるか否かを判断する第１判断サブステップと、前記第１判断サブステップの判断結果が肯定的である場合に、前記第１データベースを参照して、前記移動端末の移動先のセルがリロケーション禁止セルであるか否かを判断する第２判断サブステップと、前記第２判断サブステップの判断結果が肯定的である場合に、リロケーションを禁止するステップと、を備えるようにしてもよい。
【００１８】
上記のリロケーション制御方法において、前記判断ステップは、前記第１判断サブステップの判断結果が否定的である場合に、リロケーションを禁止するステップを更に備えるようにしてもよい。
【００１９】
上記のリロケーション制御方法において、前記判断ステップは、前記第２判断サブステップの判断結果が否定的である場合に、リロケーションを許可するステップを更に備えるようにしてもよい。
【００２０】
上記のリロケーション制御方法において、前記第１データベース用意ステップでは、前記第１のデータベースとして、リロケーション禁止セルが登録されたデータベースを用意し、前記第２データベース用意ステップでは、前記第２のデータベースとして、リロケーションを禁止する隣接基地局制御装置が登録されたデータベースを用意し、前記判断ステップは、前記第２データベースを参照して、前記移動端末の移動先のセルをその配下に置く隣接基地局制御装置がリロケーションを許可する隣接基地局制御装置であるか否かを判断する第１判断サブステップと、前記第１判断サブステップの判断結果が肯定的である場合に、前記第１データベースを参照して、前記移動端末の移動先のセルがリロケーション禁止セルであるか否かを判断する第２判断サブステップと、前記第２判断サブステップの判断結果が肯定的である場合に、リロケーションを禁止するステップと、を備えるようにしてもよい。
【００２１】
上記のリロケーション制御方法において、前記判断ステップは、前記第１判断サブステップの判断結果が否定的である場合に、リロケーションを禁止するステップを更に備えるようにしてもよい。
【００２２】
上記のリロケーション制御方法において、前記判断ステップは、前記第２判断サブステップの判断結果が否定的である場合に、リロケーションを許可するステップを更に備えるようにしてもよい。
【００２３】
上記のリロケーション制御方法において、前記第１データベース用意ステップでは、前記第１のデータベースとして、リロケーション禁止セルが登録されたデータベースを用意し、前記第２データベース用意ステップでは、前記第２のデータベースとして、リロケーションを許可する隣接基地局制御装置が登録されたデータベースを用意し、前記判断ステップは、前記第２データベースを参照して、前記移動端末の移動先のセルをその配下に置く隣接基地局制御装置がリロケーションを許可する隣接基地局制御装置であるか否かを判断する第１判断サブステップと、前記第１判断サブステップの判断結果が肯定的である場合に、前記第１データベースを参照して、前記移動端末の移動先のセルがリロケーション禁止セルであるか否かを判断する第２判断サブステップと、
前記第２判断サブステップの判断結果が肯定的である場合に、リロケーションを禁止するステップと、を備えるようにしてもよい。
【００２４】
上記のリロケーション制御方法において、前記判断ステップは、前記第１判断サブステップの判断結果が否定的である場合に、リロケーションを禁止するステップを更に備えるようにしてもよい。
【００２５】
上記のリロケーション制御方法において、前記判断ステップは、前記第２判断サブステップの判断結果が否定的である場合に、リロケーションを許可するステップを更に備えるようにしてもよい。
【発明の効果】
【００２６】
本発明によれば、データベースを用意しておいて、移動端末がその配下におかれているセルとそのデータベースを参照するだけでリロケーション制御を行うことができるので、複雑な処理が不要で、且つ、的確な制御ができる。
【発明を実施するための最良の形態】
【００２７】
以下、図面を参照して本発明を実施するための最良の形態について詳細に説明する。
【００２８】
本発明は、ＵＭＴＳ(Universal Mobile Telecommunications System)の基地局制御装置等において、リロケーション処理を効率よく起動できるようにしたことを特徴としている。
【００２９】
図２において、基地局制御装置１０は、移動端末２００が所在するセルと基地局制御装置の情報を、図３や図４に示すデータベースから検索し、これによりリロケーション処理を起動して良いか決定している。このようにすることで、端末の所在地の座標をリアルタイムに考慮することなく、また不要なリロケーション処理の起動を防ぎ、効率よくリロケーションを起動することが可能になる。
【００３０】
図５はＵＭＴＳの交換機、基地局制御装置、基地局、セル、端末を示す。基地局制御装置１０は基地局３００、基地局３１０を制御する。基地局３００はセル１００、セル１１０を制御する。基地局３１０はセル１２０、セル１３０を制御する。基地局制御装置２０は基地局３２０、基地局３３０を制御する。基地局３２０はセル１４０、セル１５０を制御する。基地局３３０はセル１６０、セル１７０を制御する。
【００３１】
図５において、セル１００にいる移動端末２００が発呼した場合、基地局制御装置１０が移動端末２００の情報を取得し、移動端末２００を制御することにより、交換機４００と移動端末２００の間の通信路を用意する。
【００３２】
図１において、移動端末２００が通話中にセル１１０から基地局制御装置２０配下のセル１４０へと順々にハンドオーバーする場合、端末のハンドオーバーを基地局制御装置１０が制御し、基地局制御装置２０を介して移動端末２００から交換機４００までの間の通信路を用意する。
【００３３】
移動端末２００がこの状態で長時間通話すると、基地局制御装置１０と基地局制御装置２０の間の通信路５１０も長時間確保されたままになってしまう。
【００３４】
そこで、図２に示すとおり、移動端末２００を制御するための情報を基地局制御装置１０から基地局制御装置２０に移し、かつ、移動端末２００と交換機４００との間の通信路を、通信路５００、通信路５１０を介したものから通信路５２０へと切り替える処理がリロケーション処理である。
【００３５】
リロケーション処理は、冗長になっている通信路をより効率のよい経路に切り替えることができる一方、基地局制御装置１０、基地局制御装置２０、移動端末２００、交換機４００全てが関係する複雑な処理であるため、頻繁に実行するのは望ましくない。端末が、異なる基地局制御装置配下のセルにハンドオーバーしたらすぐにリロケーション処理を起動する、という整理にすると、基地局制御装置がカバーするエリアの境界付近を行き来している端末がいた場合、リロケーション処理が頻発してしまう。
【００３６】
そこで、リロケーション処理の頻発を防ぎつつ、冗長になっている通信路を適時効率の良い経路に切り替えるためには、基地局制御装置１０が端末を制御している場合、図６に示すとおり、端末が基地局制御装置１０のセルがカバーするエリアの境界から一定距離Ｌ離れた場合に初めてリロケーション処理を起動するのが望ましい。
【００３７】
しかし、ある基地局制御装置が制御する全端末の所在地の座標情報をリアルタイムで把握するのは技術的に非常に難しい。このため、ある基地局制御装置のセルがカバーするエリアの境界と、端末の所在地との間の絶対的な距離を、基地局制御装置がリアルタイムで把握するのも非常に難しい。
【００３８】
また、リロケーションは通信経路を効率のよい経路に切り替えるのが主な目的であるが、基地局制御装置間に非常に太い帯域の回線が用意されているような場合には、通信路の効率化を行うよりも、複雑なリロケーション処理の発生を防ぎたいことも考えられる。
【００３９】
本実施形態では、この問題を解決するために、基地局制御装置内に、図３や図４に示すとおり、他の基地局制御装置配下のセル、および他の基地局制御装置の識別情報を登録するためのデータベースを用意する。ここで、図３に示すセルの番号は、図７に示すものである。但し、図７は、基地局制御装置１０及び２０の配下のセルのみを示し、基地局制御装置３０配下のセルは示していない。
【００４０】
図８、図９を参照すると、まず、第２データベース生成部８０１は、リロケーションを禁止する移動先の基地局制御装置を第２のデータベース（図４にしめすもの）８０２に登録する（ステップＳ７０１）。次に、第２データベース生成部８０１は、リロケーションを許可する移動先の基地局制御装置を第２のデータベース８０２に登録する（ステップＳ７０２）。次に、第１データベース生成部８０３は、リロケーションを禁止する移動先のセルを第１のデータベース（図３に示すもの）８０４に登録する（ステップＳ７０３）。
【００４１】
図３のデータベースには、基地局制御装置がカバーするエリア同士の境界付近に位置する、隣接する基地局制御装置配下のセルをあらかじめ登録しておく。端末が、他の基地局制御装置配下のセルに移動した場合、端末を制御する基地局制御装置は、図３のデータベースを検索する。端末が図３のデータベースに登録されているセルにいる場合はリロケーション処理を起動しない。端末が図３のデータベースに含まれていないセルに移動した場合、リロケーション処理を起動する。
【００４２】
また、図４のデータベースには、隣接する基地局制御装置に関して、リロケーションを起動するかどうかを示す情報をあらかじめ登録しておく。端末が、他の基地局制御装置配下のセルに移動した場合、端末を制御する基地局制御装置は、図４のデータベースを検索する。端末が所在する基地局制御装置の情報を図４のデータベースから検索し、その基地局制御装置に端末が移動した場合にリロケーション処理を起動して良いか判定する。
【００４３】
端末が図７において、基地局制御装置１０配下のセルで発呼すると、基地局制御装置１０はこの端末を制御し、端末と交換機の間の通信路を用意する。通信路が確保された状態で、この端末が基地局制御装置２０配下のセル２０２に移動した場合、基地局制御装置１０は基地局制御装置１０の中に用意されている図３と図４のデータベースを検索する。図４のデータベースより、基地局制御装置２０配下に端末が移動した場合にはリロケーションを起動しても良いと判断できるが、図３のデータベースにセル２０２の情報が登録されているため、基地局制御装置１０はリロケーション処理を起動しない。端末が更にセル２０６に移動すると、今度は図３のデータベースにセル２０６の情報が含まれないため、基地局制御装置１０はリロケーション処理を起動する（図１０参照）。
【００４４】
図９、図１０を参照すると、まず、第１判断部８０５は、移動端末が現在その配下にあるセルを特定し、そのセルがその配下にある基地局制御装置が第２のデータベース８０２においてリロケーション許可となっているか否かを判断する（ステップＳ７１１）。
【００４５】
リロケーション許可となっていない場合（すなわち、リロケーション禁止となっている場合）には（ステップＳ７１１でＮＯ）、第１判断部８０５は、リロケーションを禁止する（ステップＳ７１２）（図９の符号８０７）。
【００４６】
リロケーション許可となっている場合には（ステップＳ７１１でＹＥＳ）、第２判断部８０６は、移動端末が現在その配下にあるセルが第１のデータベースに登録されているか否かを判断する（ステップＳ７１３）。
【００４７】
第２判断部８０６は、登録されている場合には（ステップＳ７１３でＹＥＳ）、リロケーションを禁止し（ステップＳ７１２）（図９の符号８０８）、登録されていない場合には（ステップＳ７１３でＮＯ）、リロケーションを許可する（ステップＳ７１４）（図９の符号８０９）。
【００４８】
以上説明したように、本実施形態においては、以下に記載するような効果を奏する。
【００４９】
第１の効果は、端末が所在するセルの情報が、図３のデータベース内に登録されているか検索してリロケーション処理を起動するかどうか決定しているため、端末の所在地の座標を意識することなく、リロケーション処理を効率よく起動できることである。
【００５０】
第２の効果は、図４のデータベースに登録されている情報を検索してリロケーション処理を起動するか決定しているため、不要なリロケーション処理を起動せずに済むことである。
【００５１】
第３の効果は、図３のデータベースに登録するセルの数を調整することで、リロケーション処理が起動される際の端末と基地局制御装置同士の境界との距離を調節できることである。
【００５２】
本発明の他の実施形態として、その基本的構成は上記の通りであるが、図３のデータベースに含まれる情報の利用方法について更に工夫している。
【００５３】
図３のデータベースには、端末を制御する基地局制御装置の配下に属さないセルをあらかじめ登録しておく。端末が、他の基地局制御装置配下のセルに移動した場合、端末を制御する基地局制御装置１０は、図３のデータベースを検索する。端末が所在するセルと隣接するセルが、図３のデータベース含まれている場合はリロケーション処理を起動しない。端末が所在するセルと隣接する全てのセルが、図３のデータベースに含まれていない場合、リロケーション処理を起動するようにする。このように本実施形態では、端末が所在するセルと隣接するセルが図３のデータベースに含まれているかどうか検索してリロケーション処理を起動するか決定しているため、図３のデータベースにあらかじめ登録しておくセルの数を減らすことが可能である（図１１、図１２参照）。
【００５４】
図７のようなセル配置及び図３に示すようなデータベースがある場合について説明する。端末を制御する基地局制御装置の配下に属さないセルは、セル＃２０１、＃２０２、＃２０３、＃２０４であり、これに対応して図３に示すようなデータのデータベースがある。
【００５５】
移動端末が仮にセル＃２０１に移動した場合、「端末が所在するセル（＃２０１）と隣接する全てのセルが図６のデータベースに含まれていない場合」の条件に合致しないため、リロケーションは起動されない。同様の理由で、移動端末がセル＃２０２、＃２０３、＃２０４に移動した場合もリロケーションは起動されない。
【００５６】
移動端末が仮にセル＃２０５に移動した場合、端末が所在するセル（＃２０５）はデータベースに含まれていないが、隣接するセル＃２０１、＃２０２が図６のデータベースに含まれているため、リロケーションは起動されない。同様の理由で、移動端末がセル＃２０６、＃２０７に移動した場合もリロケーションは起動されない。
【００５７】
移動端末が仮にセル＃２０８に移動した場合、「端末が所在するセル＃２０１と隣接する全てのセルが図６のデータベースに含まれていない場合」の条件に合致するため、リロケーションは起動される。同様の理由で、移動端末がセル＃２０９、＃２１０、＃２１１に移動した場合もリロケーションは起動される。
【００５８】
図９、図１１を参照すると、まず、第２データベース生成部８０１は、リロケーションを禁止する移動先の基地局制御装置を第２のデータベース（図４にしめすもの）８０２に登録する（ステップＳ７２１）。次に、第２データベース生成部８０１は、リロケーションを許可する移動先の基地局制御装置を第２のデータベース８０２に登録する（ステップＳ７２２）。次に、第１データベース生成部８０３は、リロケーションを禁止する移動先のセルに隣接した全てのセルを第１のデータベース（図３に示すもの）８０４に登録する（ステップＳ７２３）。
【００５９】
図９、図１２を参照すると、まず、第１判断部８０５は、移動端末が現在その配下にあるセルを特定し、そのセルがその配下にある基地局制御装置が第２のデータベース８０２においてリロケーション許可となっているか否かを判断する（ステップＳ７３１）。
【００６０】
リロケーション許可となっていない場合（すなわち、リロケーション禁止となっている場合）には（ステップＳ７１１でＮＯ）、第１判断部８０５は、リロケーションを禁止する（ステップＳ７３２）（図９の符号８０７）。
【００６１】
リロケーション許可となっている場合には（ステップＳ７３１でＹＥＳ）、第２判断部８０６は、移動端末が現在その配下にあるセルに隣接するセルのうちの少なくとも１つのセルが第１のデータベースに登録されているか否かを判断する（ステップＳ７３３）。
【００６２】
第２判断部８０６は、登録されている場合には（ステップＳ７３３でＹＥＳ）、リロケーションを禁止し（ステップＳ７３２）（図９の符号８０８）、登録されていない場合には（ステップＳ７３３でＮＯ）、リロケーションを許可する（ステップＳ７３４）（図９の符号８０９）。
【００６３】
本発明の他の実施形態として、その基本的構成は上記の通りであるが、図４のデータベースにかわり、図１３のデータベースを使用する。
【００６４】
図１３のデータベースには、リロケーションを禁止する他の基地局制御装置の情報をあらかじめ登録しておく。端末が、他の基地局制御装置配下のセルに移動した場合、端末を制御する基地局制御装置は、図１３のデータベースを検索する。端末が所在する基地局制御装置の情報が、図１３のデータベース含まれている場合はリロケーション処理を起動しない。端末が所在する基地局制御装置の情報が、図１３のデータベースに含まれていない場合、リロケーション処理を起動するようにする。このようにすることで、本実施形態では、データベースにあらかじめ登録しておく基地局制御装置の情報数を減らすことが可能である（図１４、図１５参照）。
【００６５】
図９、図１４を参照すると、まず、第２データベース生成部８０１は、リロケーションを禁止する移動先の基地局制御装置を第２のデータベース（図４にしめすもの）８０２に登録する（ステップＳ７４１）。次に、第１データベース生成部８０３は、リロケーションを禁止する移動先のセルに隣接した全てのセルを第１のデータベース（図３に示すもの）８０４に登録する（ステップＳ７４２）。
【００６６】
図９、図１５を参照すると、まず、第１判断部８０５は、移動端末が現在その配下にあるセルを特定し、そのセルがその配下にある基地局制御装置が第２のデータベース８０２において登録されているか否かを判断する（ステップＳ７５１）。
【００６７】
登録されている場合には（ステップＳ７５１でＹＥＳ）、第１判断部８０５は、リロケーションを禁止する（ステップＳ７５２）（図９の符号８０７）。
【００６８】
登録されていない場合には（ステップＳ７５１でＮＯ）、第２判断部８０６は、移動端末が現在その配下にあるセルが第１のデータベース８０４に登録されているか否かを判断する（ステップＳ７５３）。
【００６９】
第２判断部８０６は、登録されている場合には（ステップＳ７５３でＹＥＳ）、リロケーションを禁止し（ステップＳ７５２）（図９の符号８０８）、登録されていない場合には（ステップＳ７５３でＮＯ）、リロケーションを許可する（ステップＳ７５４）（図９の符号８０９）。
【００７０】
また、逆に、図１３のデータベースには、リロケーションを許可する他の基地局制御装置の情報をあらかじめ登録しておく。端末が、他の基地局制御装置配下のセルに移動した場合、端末を制御する基地局制御装置は、図１３のデータベースを検索する。端末が所在する基地局制御装置の情報が、図１３のデータベース含まれていない場合はリロケーション処理を起動しない。端末が所在する基地局制御装置の情報が、図１３のデータベースに含まれている場合、リロケーション処理を起動するようにする。このようにすることで、本実施形態では、データベースにあらかじめ登録しておく基地局制御装置の情報数を減らすことが可能である（図１６、図１７参照）。
【００７１】
図９、図１６を参照すると、まず、第２データベース生成部８０１は、リロケーションを許可する移動先の基地局制御装置を第２のデータベース（図４に示すもの）８０２に登録する（ステップＳ７６１）。次に、第１データベース生成部８０３は、リロケーションを禁止する移動先のセルに隣接した全てのセルを第１のデータベース（図３に示すもの）８０４に登録する（ステップＳ７６２）。
【００７２】
図９、図１７を参照すると、まず、第１判断部８０５は、移動端末が現在その配下にあるセルを特定し、そのセルがその配下にある基地局制御装置が第２のデータベースにおいて登録されているか否かを判断する（ステップＳ７７１）。
【００７３】
登録されていない場合には（ステップＳ７７１でＮＯ）、第１判断部８０５は、リロケーションを禁止する（ステップＳ７７２）（図９の符号８０７）。
【００７４】
登録されている場合には（ステップＳ７７１でＹＥＳ）、第２判断部８０６は、移動端末が現在その配下にあるセルが第１のデータベースに登録されているか否かを判断する（ステップＳ７７３）。
【００７５】
第２判断部８０６は、登録されている場合には（ステップＳ７７３でＹＥＳ）、リロケーションを禁止し（ステップＳ７７２）（図９の符号８０８）、登録されていない場合には（ステップＳ７７３でＮＯ）、リロケーションを許可する（ステップＳ７７４）（図９の符号８０９）。
【００７６】
なお、上述したリロケーション制御方法は、ハードウェアによって実現することも可能であるが、コンピュータに上述したリロケーション制御方法をコンピュータに行わせるためのプログラムをコンピュータが記録媒体から読み込んで実行することによっても実現することができる。上述したリロケーション制御方法を行うためのリロケーション制御装置は、ハードウェアによって実現することも可能であるが、コンピュータをリロケーション制御装置として機能させるためのプログラムをコンピュータが記録媒体から読み込んで実行することによっても実現することができる。
【図面の簡単な説明】
【００７７】
【図１】移動端末がハンドオーバーする様子を示す概念図である。
【図２】リロケーションが行われる様子を示す概念図である。
【図３】本発明の実施形態による第１のデータベースの構成例を示す図である。
【図４】本発明の実施形態による第２のデータベースの構成例を示す図である。
【図５】本発明の実施形態による基地局制御装置等の構成を示す概念図である。
【図６】リロケーション処理が行われるべき領域を示す平面図である。
【図７】本発明の実施形態におけるセル配置の一例を示す図である。
【図８】本発明の実施形態によるデータベースにデータを登録する第１の方法を説明するためのフローチャートである。
【図９】本発明の実施形態によるリロケーション制御装置の構成を示すブロック図である。
【図１０】本発明の実施形態によるリロケーションの可否を判断する第１の方法を説明するためのフローチャートである。
【図１１】本発明の実施形態によるデータベースにデータを登録する第２の方法を説明するためのフローチャートである。
【図１２】本発明の実施形態によるリロケーションの可否を判断する第２の方法を説明するためのフローチャートである。
【図１３】本発明の実施形態による第２のデータベースの他の構成例を示す図である。
【図１４】本発明の実施形態によるデータベースにデータを登録する第３の方法を説明するためのフローチャートである。
【図１５】本発明の実施形態によるリロケーションの可否を判断する第３の方法を説明するためのフローチャートである。
【図１６】本発明の実施形態によるデータベースにデータを登録する第４の方法を説明するためのフローチャートである。
【図１７】本発明の実施形態によるリロケーションの可否を判断する第４の方法を説明するためのフローチャートである。
【符号の説明】
【００７８】
１０、２０  基地局制御装置
１００、１１０、・・・、１７０  セル
３００、３１０、・・・、３３０  基地局
４００  交換機
８０１  第２データベース生成部
８０２  第２データベース
８０３  第１データベース生成部
８０４  第１データベース
８０５  第１判断部
８０６  第２判断部
【図１】
2006270571.tif 000003
【図２】
2006270571.tif 000004
【図３】
2006270571.tif 000005
【図４】
2006270571.tif 000006
【図５】
2006270571.tif 000007
【図６】
2006270571.tif 000008
【図７】
2006270571.tif 000009
【図８】
2006270571.tif 000010
【図９】
2006270571.tif 000011
【図１０】
2006270571.tif 000012
【図１１】
2006270571.tif 000013
【図１２】
2006270571.tif 000014
【図１３】
2006270571.tif 000015
【図１４】
2006270571.tif 000016
【図１５】
2006270571.tif 000017
【図１６】
2006270571.tif 000018
【図１７】
2006270571.tif 000019